(57)【要約】【課題】必要に応じてフォークとして機能させることができる箸を提供する。【解決手段】使用者が把持し得る把持部Ａ、及び任意の食材を挟持し得る先端部Ｂがそれぞれ形成された一対の棒状部材（１、１）から成る箸であって、把持部Ａが合致した状態で一対の棒状部材（１、１）を連結可能とされ、その連結状態で先端部Ｂが分岐してフォークとして機能し得るものであり、先端部Ｂは、棒状部材（１、１）の軸方向に対して突出位置と後退位置との間で摺動可能な中央部２と、中央部２の外側に形成され、当該中央部２が突出位置と後退位置との間で摺動することにより棒状部材（１、１）の側方に向かって揺動して分岐可能とされた分岐部３とを具備したものである。【選択図】図５
2018143326.tif 000002
【特許請求の範囲】
【請求項１】
使用者が把持し得る把持部、及び任意の食材を挟持し得る先端部がそれぞれ形成された一対の棒状部材から成る箸であって、
前記把持部が合致した状態で前記一対の棒状部材を連結可能とされ、その連結状態で前記先端部が分岐してフォークとして機能し得ることを特徴とする箸。
【請求項２】
前記先端部は、
前記棒状部材の軸方向に対して突出位置と後退位置との間で摺動可能な中央部と、
前記中央部の外側に形成され、当該中央部が前記突出位置と後退位置との間で摺動することにより前記棒状部材の側方に向かって揺動して分岐可能とされた分岐部と、
を具備したことを特徴とする請求項１記載の箸。
【請求項３】
前記中央部を前記突出位置から後退位置に向かって付勢する付勢手段と、
前記棒状部材の所定部位に係止して前記中央部を前記突出位置に保持し得る係止手段と、
を具備し、前記一対の棒状部材が連結状態とされると前記係止手段の係止が解かれるよう構成され、当該係止手段の係止が解かれると、前記付勢手段の付勢力にて前記中央部が前記後退位置まで摺動して前記分岐部を分岐させ得ることを特徴とする請求項２記載の箸。
【請求項４】
使用者が操作可能な操作部を具備し、当該操作部を操作して前記係止手段を所定部位に係止することにより前記分岐部を分岐前の状態とし得ることを特徴とする請求項３記載の箸。
【請求項５】
前記先端部は、前記分岐部を揺動して分岐させる方向に付勢、又は分岐部を分岐させる前の状態に戻す方向に付勢するバネ部材が取り付けられたことを特徴とする請求項２〜４の何れか１つに記載の箸。
【請求項６】
前記分岐部が前記中央部に対して分岐した状態において、前記分岐部の先端と前記中央部の先端とが略同一高さに設定されたことを特徴とする請求項２〜５の何れか１つに記載の箸。
【請求項７】
前記一対の棒状部材は、それぞれ磁石を具備し、当該磁石の磁力により当該一対の棒状部材の連結状態を保持し得ることを特徴とする請求項１〜６の何れか１つに記載の箸。
【請求項８】
前記先端部にスプーン部が取り付け可能とされ、前記中央部に対して分岐した前記分岐部にて当該スプーン部を抜け止め可能とされたことを特徴とする請求項２〜７の何れか１つに記載の箸。
【発明の詳細な説明】
【技術分野】
【０００１】
本発明は、フォークに変形し得る箸に関するものである。
【背景技術】
【０００２】
近時の日本食ブームにより箸を使用する外国人が増加しつつあるが、外国人にとっては箸の扱いが不慣れな場合が多く、箸と共にフォーク等を用意する必要があった。また、持ち帰り弁当においては、箸を使用するのが好ましい食材と、フォークを使用するのが好ましい食材とが混在しているものがあり、その場合、箸とフォークとを持ち帰り弁当に添付して提供する必要があった。なお、かかる先行技術は、文献公知発明に係るものでないため、記載すべき先行技術文献情報はない。
【発明の概要】
【発明が解決しようとする課題】
【０００３】
しかしながら、従来においては、通常、箸は一対の棒状部材から成るものとされ、フォークは先端が複数に分岐した一体部材から成るものとされていることから、箸とフォークとを兼用させることができず、両方必要な場合は、箸とフォークとをそれぞれ用意しておく必要があった。
【０００４】
本発明は、このような事情に鑑みてなされたもので、必要に応じてフォークとして機能させることができる箸を提供することにある。
【課題を解決するための手段】
【０００５】
請求項１記載の発明は、使用者が把持し得る把持部、及び任意の食材を挟持し得る先端部がそれぞれ形成された一対の棒状部材から成る箸であって、前記把持部が合致した状態で前記一対の棒状部材を連結可能とされ、その連結状態で前記先端部が分岐してフォークとして機能し得ることを特徴とする。
【０００６】
請求項２記載の発明は、請求項１記載の箸において、前記先端部は、前記棒状部材の軸方向に対して突出位置と後退位置との間で摺動可能な中央部と、前記中央部の外側に形成され、当該中央部が前記突出位置と後退位置との間で摺動することにより前記棒状部材の側方に向かって揺動して分岐可能とされた分岐部とを具備したことを特徴とする。
【０００７】
請求項３記載の発明は、請求項２記載の箸において、前記中央部を前記突出位置から後退位置に向かって付勢する付勢手段と、前記棒状部材の所定部位に係止して前記中央部を前記突出位置に保持し得る係止手段とを具備し、前記一対の棒状部材が連結状態とされると前記係止手段の係止が解かれるよう構成され、当該係止手段の係止が解かれると、前記付勢手段の付勢力にて前記中央部が前記後退位置まで摺動して前記分岐部を分岐させ得ることを特徴とする。
【０００８】
請求項４記載の発明は、請求項３記載の箸において、使用者が操作可能な操作部を具備し、当該操作部を操作して前記係止手段を所定部位に係止することにより前記分岐部を分岐前の状態とし得ることを特徴とする。
【０００９】
請求項５記載の発明は、請求項２〜４の何れか１つに記載の箸において、前記先端部は、前記分岐部を揺動して分岐させる方向に付勢、又は分岐部を分岐させる前の状態に戻す方向に付勢するバネ部材が取り付けられたことを特徴とする。
【００１０】
請求項６記載の発明は、請求項２〜５の何れか１つに記載の箸において、前記分岐部が前記中央部に対して分岐した状態において、前記分岐部の先端と前記中央部の先端とが略同一高さに設定されたことを特徴とする。
【００１１】
請求項７記載の発明は、請求項１〜６の何れか１つに記載の箸において、前記一対の棒状部材は、それぞれ磁石を具備し、当該磁石の磁力により当該一対の棒状部材の連結状態を保持し得ることを特徴とする。
【００１２】
請求項８記載の発明は、請求項２〜７の何れか１つに記載の箸において、前記先端部にスプーン部が取り付け可能とされ、前記中央部に対して分岐した前記分岐部にて当該スプーン部を抜け止め可能とされたことを特徴とする。
【発明の効果】
【００１３】
請求項１の発明によれば、把持部が合致した状態で一対の棒状部材を連結可能とされ、その連結状態で先端部が分岐してフォークとして機能し得るので、必要に応じてフォークとして機能させることができる箸を提供することができる。
【００１４】
請求項２の発明によれば、先端部は、棒状部材の軸方向に対して突出位置と後退位置との間で摺動可能な中央部と、中央部の外側に形成され、当該中央部が突出位置と後退位置との間で摺動することにより棒状部材の側方に向かって揺動して分岐可能とされた分岐部とを具備したので、中央部を突出位置と後退位置との間で摺動させることにより、容易にフォークとして機能させることができる。
【００１５】
請求項３の発明によれば、中央部を突出位置から後退位置に向かって付勢する付勢手段と、棒状部材の所定部位に係止して中央部を突出位置に保持し得る係止手段とを具備し、一対の棒状部材が連結状態とされると係止手段の係止が解かれるよう構成され、当該係止手段の係止が解かれると、付勢手段の付勢力にて中央部が後退位置まで摺動して分岐部を分岐させ得るので、単に一対の棒状部材を連結状態とすることによりフォークとして機能させることができ、別の操作を不要としてフォークとしての機能を得ることができる。
【００１６】
請求項４の発明によれば、使用者が操作可能な操作部を具備し、当該操作部を操作して係止手段を所定部位に係止することにより分岐部を分岐前の状態とし得るので、フォークとして機能させた後、再び箸として機能させることができる。
【００１７】
請求項５の発明によれば、先端部は、分岐部を揺動して分岐させる方向に付勢、又は分岐部を分岐させる前の状態に戻す方向に付勢するバネ部材が取り付けられたので、分岐部の揺動を確実且つ円滑に行わせることができる。
【００１８】
請求項６の発明によれば、分岐部が中央部に対して分岐した状態において、分岐部の先端と中央部の先端とが略同一高さに設定されたので、フォークとして良好に機能させることができる。
【００１９】
請求項７の発明によれば、一対の棒状部材は、それぞれ磁石を具備し、当該磁石の磁力により当該一対の棒状部材の連結状態を保持し得るので、フォークとして機能させる際に一対の棒状部材の連結状態を確実に保持させることができるとともに、その後、箸として機能させる際に一対の棒状部材の連結状態を容易に解くことができる。
【００２０】
請求項８の発明によれば、先端部にスプーン部が取り付け可能とされ、中央部に対して分岐した分岐部にて当該スプーン部を抜け止め可能とされたので、フォークとして機能させるのに加え、スプーンとして容易に機能させることができる。
【図面の簡単な説明】
【００２１】
【図１】本発明の第１の実施形態に係る箸（フォークとして機能する前の状態）を示す側面図
【図２】同箸（フォークとして機能する前の状態）を示す正面図
【図３】同箸（フォークとして機能する前の状態）を示す縦断面図
【図４】同箸（フォークとして機能させる状態）を示す側面図
【図５】同箸（フォークとして機能させる状態）を示す縦断面図
【図６】同箸の先端部にスプーン部を取り付ける前の状態を示す模式図
【図７】同箸の先端部にスプーン部を取り付けた状態を示す模式図
【図８】本発明の第２の実施形態に係る箸（フォークとして機能する前の状態）を示す側面図
【図９】同箸（フォークとして機能する前の状態）を示す正面図
【図１０】同箸（フォークとして機能する前の状態）を示す縦断面図
【図１１】同箸（フォークとして機能させる状態）を示す側面図
【図１２】同箸（フォークとして機能させる状態）を示す縦断面図
【図１３】図１０におけるＸＩＩＩ−ＸＩＩＩ線断面図
【発明を実施するための形態】
【００２２】
以下、本発明の実施形態について図面を参照しながら具体的に説明する。
第１の実施形態に係る箸は、必要に応じてフォークとして機能させることができるもので、図１〜５に示すように、使用者が把持し得る把持部Ａ、及び任意の食材を挟持し得る先端部Ｂがそれぞれ形成された一対の棒状部材（１、１）から成る。各棒状部材１は、筒状の筐体部Ｆを有しており、その筐体部Ｆの側面にそれぞれ磁石Ｍが形成されている。これら磁石Ｍは、互いに異なる極を外部に臨ませており、近接させると、図４に示すように、磁力にて吸着して一対の棒状部材１を連結させ得るようになっている。
【００２３】
本実施形態に係る先端部Ｂは、一対の棒状部材（１、１）のそれぞれの内側に中央部２が形成されるとともに、その外側にそれぞれ分岐部３が形成されている。中央部２は、筐体部Ｆ内に配設されたシャフト部材Ｓの先端側に形成された部位から成り、当該シャフト部材Ｓと連動して、棒状部材１の軸方向に対して突出位置（図１〜３参照）と後退位置（図４、５参照）との間で摺動可能とされている。
【００２４】
シャフト部材Ｓは、筐体部Ｆ内において軸方向に摺動可能な軸状部材から成り、先端側に中央部２が形成されるとともに、途中の部位には、拡径部Ｓａ及び係止手段５が形成されている。また、筐体部Ｆの内部における所定位置には、ストッパ部Ｔが形成されており、このストッパ部Ｔとシャフト部材Ｓの拡径部Ｓａとの間には、付勢手段としてのコイルスプリング４が取り付けられている。
【００２５】
係止手段５は、シャフト部材Ｓに一体形成された爪形状から成り、筐体部Ｆの所定部位に形成された第１開口部Ｆｂ又は第２開口部Ｆｃに係止可能とされている。そして、図３に示すように、係止手段５が第１開口部Ｆｂに係止した状態においては、中央部２が突出位置となった状態にてシャフト部材Ｓが保持されるとともに、コイルスプリング４が圧縮された状態となっており、中央部２を突出位置から後退位置に向かって付勢するようになっている。
【００２６】
また、筐体部Ｆには、それぞれ凸部Ｆａが形成されており、図４、５に示すように、把持部Ａが合致した状態で一対の棒状部材（１、１）を連結させると、一方の棒状部材１の凸部Ｆａが他方の棒状部材１の第１開口部Ｆｂに挿通され、係止手段５の係止を解くようになっている。このように、係止手段５の係止が解かれると、コイルスプリング４の付勢力によってシャフト部材Ｓが突出位置から後退位置に向かって摺動するとともに、後退位置に達すると、中央部２に形成された段部がストッパ部Ｔと干渉して停止する。このとき、係止手段５が第２開口部Ｆｃに係止し、その位置にてシャフト部材Ｓが保持されることとなる。
【００２７】
一方、本実施形態に係る分岐部３は、中央部２の外側にそれぞれ形成され、シャフト部材Ｓの摺動に伴って中央部２が突出位置と後退位置との間で摺動（本実施形態においては突出位置から後退位置まで摺動）することにより棒状部材１の側方に向かって揺動軸Ｌを中心として揺動し、中央部２に対して分岐可能とされた部位から成る。より具体的には、本実施形態に係る分岐部３は、それぞれの突端部３ｂが内側に向かって屈曲したフック状に形成されており、中央部２が突出位置にあるとき、図３に示すように、突端部３ｂが中央部２の先端に係止して固定された状態となっている。そして、中央部２が後退位置まで摺動すると、突端部３ｂが中央部２の先端から離間するので、両者の係止が解かれ、分岐部３の分岐が許容されるようになっている。
【００２８】
また、本実施形態においては、一対の棒状部材（１、１）のそれぞれにおける先端部Ｂには、バネ部材７が取り付けられている。このバネ部材７は、例えば分岐部３を揺動して分岐させる方向に付勢する板バネ等から成り、中央部２が後退位置に摺動して突端部３ｂによる係止が解かれると、バネ部材７の付勢力によって、分岐部３が揺動して分岐状態となるよう構成されている。このように、分岐部３が分岐した状態においては、２つの中央部２が合致して突出し、その両側にそれぞれ分岐部３が突出したフォークの如き形状となり、フォークとして機能し得るようになっている。
【００２９】
なお、中央部２には、山形状の膨出部２ａが形成されるとともに、分岐部３には、当該膨出部２ａの外輪郭形状に倣った形状の凹部３ａが形成されており、中央部２が突出位置にあるとき、膨出部２ａが凹部３ａに合致した状態とされている。そして、シャフト部材Ｓの摺動に伴って中央部２が突出位置から後退位置まで移動し、分岐部３がバネ部材７の付勢力にて揺動して分岐状態になると、膨出部２ａが分岐部３の内側と干渉して分岐状態が維持されるようになっている。しかるに、本実施形態においては、分岐部３が中央部２に対して分岐した状態において、図４、５に示すように、分岐部３の先端（突端部３ｂ）と中央部２の先端とが略同一高さＨに設定されている。
【００３０】
さらに、シャフト部材Ｓの基端（図中上端）には、操作部６が取り付けられている。かかる操作部６は、使用者が操作可能な部品から成り、中央部２が突出位置にあるとき、筐体部Ｆの基端部に近接した位置とされるとともに、中央部２が後退位置にあるとき、筐体部Ｆの基端部から離間した位置となるよう設定されている。そして、中央部２が後退位置にあるとき、一対の棒状部材（１、１）の連結を解いた後、それぞれの操作部６を押圧操作してシャフト部材Ｓを押圧すると、係止手段５と第２開口部Ｆｃとの係止が解かれ、係止手段５が第１開口部Ｆｂと係止する位置までシャフト部材Ｓが摺動することとなる。これにより、操作部６を押圧操作して係止手段５を所定部位（第１開口部Ｆｂ）に係止することにより分岐部３を分岐前の状態とすることができ、再び箸として機能させることができる。
【００３１】
ここで、本実施形態においては、先端部Ｂにスプーン部Ｅが取り付け可能とされ、中央部２に対して分岐した分岐部３にて当該スプーン部Ｅを抜け止め可能とされている。すなわち、スプーン部Ｅは、図６に示すように、スープ等の食材を掬うことが可能な形状とされるとともに、内部空間Ｅａが形成されており、分岐部３が分岐する前の状態の先端部Ｂを内部空間Ｅａに挿通した後、図７に示すように、中央部２に対して分岐部３を分岐させることにより、先端部Ｂの内部空間Ｅａからの抜け止めが図られ、当該先端部Ｂにスプーン部Ｅを取り付けることが可能とされているのである。
【００３２】
次に、本発明の第２の実施形態について説明する。
本実施形態に係る箸は、第１の実施形態と同様、必要に応じてフォークとして機能させることができるもので、図８〜１３に示すように、使用者が把持し得る把持部Ａ、及び任意の食材を挟持し得る先端部Ｂがそれぞれ形成された一対の棒状部材（１、１）から成る。なお、説明の重複を避けるべく、第１の実施形態と同様の構成については、それらの詳細な説明を省略する。
【００３３】
本実施形態に係る分岐部（８ａ、８ｂ）は、第１揺動軸Ｌａを中心として揺動可能な第１分岐部８ａと、第２揺動軸Ｌｂを中心として揺動可能な第２分岐部８ｂとで構成されるとともに、第１分岐部８ａの外側にはスライド部材９が取り付けられている。なお、本実施形態に係る分岐部（８ａ、８ｂ）においては、第１の実施形態の如くフック状に形成された突端部３ｂについては形成されていない。
【００３４】
そして、磁石Ｍの磁力により、把持部Ａが合致した状態で一対の棒状部材（１、１）を連結させると、一方の棒状部材１の凸部Ｆａが他方の棒状部材１の第１開口部Ｆｂに挿通され、係止手段５の係止を解くようになっている。このように、係止手段５の係止が解かれると、コイルスプリング４の付勢力によってシャフト部材Ｓが突出位置から後退位置に向かって摺動するとともに、後退位置に達すると、中央部２に形成された段部がストッパ部Ｔと干渉して停止する。このとき、係止手段５が第２開口部Ｆｃに係止し、その位置にてシャフト部材Ｓが保持されることとなる。
【００３５】
一方、本実施形態に係る第１分岐部８ａ及び第２分岐部８ｂは、中央部２の外側にそれぞれ形成され、シャフト部材Ｓの摺動に伴って中央部２が突出位置と後退位置との間で摺動（本実施形態においては突出位置から後退位置まで摺動）することにより棒状部材１の側方に向かって第１揺動軸Ｌａ及び第２揺動軸Ｌｂを中心として揺動し、中央部２に対して分岐可能とされた部位から成る。
【００３６】
より具体的には、第１分岐部８ａは、図１０に示すように、中央部２に形成された膨出部２ａを摺動させ得る傾斜面８ａａが形成されており、中央部２が突出位置から後退位置に摺動すると、膨出部２ａが傾斜面８ａａに沿って摺動するよう構成されている。そして、膨出部２ａが傾斜面８ａａに沿って摺動する過程において、第１分岐部８ａを外側に押圧し、筐体部Ｆに形成された第１揺動軸Ｌａを中心として外側に向かって揺動させ得るようになっている。
【００３７】
また、第１分岐部８ａの外側には、スライド部材９が摺動自在に取り付けられており、第１分岐部８ａが外側に向かって揺動すると、スライド部材９が先端側に向かって押圧されて摺動し得るようになっている。なお、スライド部材９は、図１３に示すように、第１分岐部８ａの側面に形成された溝８ａｂに嵌合しつつ摺動可能とされており、第１分岐部８ａが揺動するのに伴って、溝８ａｂで案内されつつ摺動するよう構成されている。
【００３８】
第２分岐部８ｂは、スライド部材９が摺動すると、そのスライド部材９にて押圧され、第１分岐部８ａの先端部に形成された第２揺動軸Ｌ２を中心として内側に向かって揺動可能とされている。これにより、第１分岐部８ａ及び第２分岐部８ｂは、図１１、１２に示すように、くの字状に屈曲しつつ中央部２に対して分岐することとなり、２つの中央部２が合致して突出し、その両側にそれぞれ分岐部（８ａ、８ｂ）が突出したフォークの如き形状となり、フォークとして機能し得るようになっている。
【００３９】
なお、先端部Ｂには、第１分岐部８ａ及び第２分岐部８ｂを分岐させる前の状態に戻す方向に付勢するバネ部材（７ａ、７ｂ）が取り付けられている。しかして、操作部６を押圧操作して係止手段５を所定部位（第１開口部Ｆｂ）に係止することにより分岐部（８ａ、８ｂ）を分岐前の状態とする場合、バネ部材（７ａ、７ｂ）の付勢力によって第１分岐部８ａ及び第２分岐部８ｂが分岐前の状態となる方向に揺動するようになっている。しかるに、本実施形態においては、分岐部３が中央部２に対して分岐した状態において、図１１、１２に示すように、第２分岐部（８ｂ）の先端と中央部２の先端とが略同一高さＨに設定されている。
【００４０】
本実施形態によれば、把持部Ａが合致した状態で一対の棒状部材（１、１）を連結可能とされ、その連結状態で先端部Ｂが分岐してフォークとして機能し得るので、必要に応じてフォークとして機能させることができる箸を提供することができる。特に本実施形態に係る先端部Ｂは、棒状部材（１、１）の軸方向に対して突出位置と後退位置との間で摺動可能な中央部２と、中央部２の外側に形成され、当該中央部２が突出位置と後退位置との間で摺動することにより棒状部材（１、１）の側方に向かって揺動して分岐可能とされた分岐部３とを具備したので、中央部２を突出位置と後退位置との間で摺動させることにより、容易にフォークとして機能させることができる。
【００４１】
また、中央部２を突出位置から後退位置に向かって付勢するコイルスプリング４（付勢手段）と、棒状部材（１、１）の所定部位（第１開口部Ｆｂ）に係止して中央部２を突出位置に保持し得る係止手段５とを具備し、一対の棒状部材（１、１）が連結状態とされると係止手段５の係止が解かれるよう構成され、当該係止手段５の係止が解かれると、コイルスプリング４（付勢手段）の付勢力にて中央部２が後退位置まで摺動して分岐部３を分岐させ得るので、単に一対の棒状部材（１、１）を連結状態とすることによりフォークとして機能させることができ、別の操作を不要としてフォークとしての機能を得ることができる。
【００４２】
さらに、使用者が操作可能な操作部６を具備し、当該操作部６を操作して係止手段５を所定部位（第１開口部Ｆｂ）に係止することにより分岐部３を分岐前の状態とし得るので、フォークとして機能させた後、再び箸として機能させることができる。またさらに、先端部Ｂは、分岐部３を揺動して分岐させる方向に付勢（第１の実施形態）、又は分岐部（８ａ、８ｂ）を分岐させる前の状態に戻す方向に付勢（第２の実施形態）するバネ部材（７、７ａ、７ｂ）が取り付けられたので、分岐部（３、８ａ、８ｂ）の揺動を確実且つ円滑に行わせることができる。
【００４３】
加えて、分岐部３が中央部２に対して分岐した状態において、分岐部３の先端と中央部２の先端とが略同一高さＨに設定されたので、フォークとして良好に機能させることができる。また、一対の棒状部材（１、１）は、それぞれ磁石Ｍを具備し、当該磁石Ｍの磁力により当該一対の棒状部材（１、１）の連結状態を保持し得るので、フォークとして機能させる際に一対の棒状部材（１、１）の連結状態を確実に保持させることができるとともに、その後、箸として機能させる際に一対の棒状部材（１、１）の連結状態を容易に解くことができる。
【００４４】
さらに、先端部Ｂにスプーン部Ｅが取り付け可能とされ、中央部２に対して分岐した分岐部３にて当該スプーン部Ｅを抜け止め可能とされたので、フォークとして機能させるのに加え、スプーンとして容易に機能させることができる。なお、上記においては、第１の実施形態にてスプーン部Ｅが取付可能とされているが、第２の実施形態においても、同様の構成により、スプーン部Ｅが取付可能とされている。
【００４５】
以上、本実施形態について説明したが、本発明はこれに限定されず、例えば本実施形態に係る分岐部（３、８ａ、８ｂ）は、中央部２が突出位置から後退位置に摺動することにより棒状部材（１、１）の側方に向かって揺動して分岐可能とされているが、中央部２が後退位置から突出位置に摺動することにより棒状部材（１、１）の側方に向かって揺動して分岐可能としてもよい。また、本実施形態においては、磁石の磁力により一対の棒状部材の連結状態を保持し得るものとされているが、他の形態（例えば、面ファスナーによる接着、嵌合による係止等）にて連結状態を保持するよう構成してもよい。
【００４６】
さらに、把持部Ａが合致した状態で一対の棒状部材（１、１）を連結可能とされ、その連結状態で先端部Ｂが分岐してフォークとして機能し得るものであれば、分岐部３の如く揺動して先端部Ｂを分岐させるものの他、スライドして先端部Ｂを分岐させるもの、或いは先端部Ｂの一部を塑性変形して分岐させるもの等としてもよい。なお、本実施形態においては、何れも分岐部（３、８ａ、８ｂ）が中央部２に対して分岐した状態において、分岐部（３、８ａ、８ｂ）の先端と中央部２の先端とが略同一高さＨに設定されているが、略同一高さとならないものであってもよい。
【産業上の利用可能性】
【００４７】
把持部が合致した状態で一対の棒状部材を連結可能とされ、その連結状態で先端部が分岐してフォークとして機能し得る箸であれば、外観形状が異なるもの或いは他の機能が付加されたもの等にも適用することができる。
【符号の説明】
【００４８】
１  棒状部材
２  中央部
２ａ  膨出部
３  分岐部
３ａ  凹部
３ｂ  突端部
４  コイルスプリング（付勢手段）
５  係止手段
６  操作部
７  バネ部材
８ａ  第１分岐部
８ａａ  傾斜面
８ｂ  第２分岐部
９  スライド部材
Ａ  把持部
Ｂ  先端部
Ｓ  シャフト部材
Ｓａ  拡径部
Ｆ  筐体部
Ｆａ  凸部
Ｆｂ  第１開口部
Ｆｃ  第２開口部
Ｔ  ストッパ部
Ｌ  揺動軸
Ｍ  磁石
Ｅ  スプーン部
【図１】
2018143326.tif 000003
【図２】
2018143326.tif 000004
【図３】
2018143326.tif 000005
【図４】
2018143326.tif 000006
【図５】
2018143326.tif 000007
【図６】
2018143326.tif 000008
【図７】
2018143326.tif 000009
【図８】
2018143326.tif 000010
【図９】
2018143326.tif 000011
【図１０】
2018143326.tif 000012
【図１１】
2018143326.tif 000013
【図１２】
2018143326.tif 000014
【図１３】
2018143326.tif 000015